(57)【特許請求の範囲】
【請求項１】
製氷水が満たされるタンクと、
該タンク内において回転駆動されると共に冷却されるドラムと、
該ドラムに製氷水を散水する製氷水散水手段と、
前記タンク内の製氷水を吸引して前記製氷水散水手段に送る製氷水吸引手段と、
前記タンク内に製氷水を供給する製氷水供給手段と
を備えるドラム式製氷機において、
前記製氷水供給手段の吐出口は、前記ドラムの回転軸を挟んで前記製氷水吸引手段の吸引口の反対側の領域に設けられることを特徴とする、ドラム式製氷機。
【請求項２】
前記製氷水散水手段は、前記ドラムの回転軸を挟んで前記製氷水吸引手段の吸引口の反対側の領域に設けられることを特徴とする、請求項１に記載のドラム式製氷機。
【発明の詳細な説明】
【技術分野】
【０００１】
この発明は、ドラム式製氷機に係り、特に製氷水タンク内の製氷水を散水パイプによりドラムに散水するドラム式製氷機に関する。
【背景技術】
【０００２】
特許文献１には、製氷水と円筒ドラム内を流通する冷媒との間で熱交換を行わせることによって、製氷水を円筒ドラムの表面に着氷させるドラム式製氷機が記載されている。
一般的なドラム式製氷機について図３を用いて説明する。ドラム式製氷機５０１は、氷を作るための水である製氷水が満たされる製氷水タンク５０２と、冷凍回路における蒸発器を内部に有する円筒ドラム５０３とを備えている。製氷水タンク５０２内には、製氷水を吸引するためのポンプモータ５０４の吸引口５０４ａが設けられ、ここから吸引された製氷水は、ホース５０５を経由して、製氷水散水手段である散水パイプ５０６から円筒ドラム５０３上に散水される。また、フロートスイッチ５０８により製氷水タンク５０２内の水位が下がったことが検出されると、給水バルブ５０７の吐出口５０７ａから冷却されていない製氷水が補給される。そして、円筒ドラム５０３が回転駆動されると共に冷却されると、散水パイプ５０６から散水された製氷水と製氷水タンク５０２内の製氷水は円筒ドラム５０３によって冷却され、円筒ドラム５０３の表面には層状の氷が成長する。この氷層は、カッタ５０９により剥離されて図示しない貯氷庫に蓄えられる。
【先行技術文献】
【特許文献】
【０００３】
【特許文献１】特開平８−２９０３２号公報
【発明の概要】
【発明が解決しようとする課題】
【０００４】
しかしながら、図３に示されるようなドラム式製氷機５０１では、給水バルブ５０７の吐出口５０７ａの直下にポンプモータ５０４の吸引口５０４ａが設けられている。そのため、給水バルブ５０７の吐出口５０７ａから供給された冷却されていない製氷水は、十分に冷却されないまま図３において黒矢印で示されるように流れ、ポンプモータ５０４の吸引口５０４ａから吸引されてしまう。その結果、散水パイプ５０６からは十分に冷却されていない製氷水が円筒ドラム５０３上に散水され、円筒ドラム５０３の表面に成長する氷層の質と量が不安定になる。すなわち、安定した氷質と製氷量を得ることができない。
【０００５】
この発明はこのような問題点を解決するためになされたものであり、製氷水散水手段から散水される製氷水の温度を常に低く保ち、安定した氷質と製氷量を得ることができるドラム式製氷機を提供することを目的とする。
【課題を解決するための手段】
【０００６】
上記の課題を解決するために、この発明に係るドラム式製氷機は、製氷水が満たされるタンクと、タンク内において回転駆動されると共に冷却されるドラムと、ドラムに製氷水を散水する製氷水散水手段と、タンク内の製氷水を吸引して製氷水散水手段に送る製氷水吸引手段と、タンク内に製氷水を供給する製氷水供給手段とを備えるドラム式製氷機において、製氷水供給手段の吐出口は、ドラムの回転軸を挟んで製氷水吸引手段の吸引口の反対側の領域に設けられる。
これにより、製氷水散水手段から散水される製氷水の温度が常に低く保たれ、安定した氷質と製氷量を得ることができる。
【０００７】
製氷水散水手段は、ドラムの回転軸を挟んで製氷水吸引手段の吸引口の反対側の領域に設けられてもよい。
これにより、タンク内の特定箇所に冷水が滞留することがなく、タンク内の機能部品を氷結させてしまうことがない。
【発明の効果】
【０００８】
この発明に係るドラム式製氷機によれば、製氷水散水手段から散水される製氷水の温度が常に低く保たれ、安定した氷質と製氷量を得ることができる。
【図面の簡単な説明】
【０００９】
【図１】この発明の実施の形態に係るドラム式製氷機の模式断面図である。
【図２】この発明の実施の形態に係る散水パイプ用の取り付け部材群の図である。
【図３】従来技術に係るドラム式製氷機の模式断面図である。
【発明を実施するための形態】
【００１０】
以下、この発明の実施の形態について添付図面に基づいて説明する。
この発明の実施の形態に係るドラム式製氷機の模式断面図を図１に示す。
ドラム式製氷機１は、氷を作るための水である製氷水が満たされる製氷水タンク２と、製氷水タンク２内に設けられると共に図示しない冷凍回路における蒸発器を内部に有する円筒ドラム３とを備えている。円筒ドラム３は、図示しないギヤモータによって回転軸Ｏを中心に回転駆動されると共に、蒸発器内を流通する冷媒によって冷却される。すなわち、ドラム式製氷機１は、製氷水と円筒ドラム３内を流通する冷媒との間で熱交換を行わせることによって、製氷水を円筒ドラム３の表面に着氷させるものである。
【００１１】
製氷水タンク２内において、円筒ドラム３の回転軸Ｏを挟んで右側の領域（図１における点線Ｐの右側の領域）の壁面には、製氷水タンク２内の製氷水を吸引するためのポンプモータ４の吸引口４ａが設けられている。ポンプモータ４の吐出口４ｂは、ホース５を介して、製氷水を円筒ドラム３上に散水するための散水パイプ６に接続されている。ここで、散水パイプ６は、円筒ドラム３の上方且つ回転軸Ｏを挟んでポンプモータ４の吸引口４ａの反対側の領域（図１における点線Ｐの左側の領域）に設けられている。詳細には、製氷水タンク２の上蓋には、図１における紙面奥方向に向けて複数の保持部２ａが設けられており、散水パイプ６は、これら保持部２ａに形成された通孔に通されて固定されている。
また、製氷水タンク２内において、円筒ドラム３の回転軸Ｏを挟んでポンプモータ４の吸引口４ａの反対側の領域（図１おける点線Ｐの左側の領域）には、製氷水タンク２内に製氷水を供給するための給水バルブ７の吐出口７ａが設けられており、給水バルブ７は図示しない外部水道系に接続されている。
さらに、ポンプモータ４の吸引口４ａの上方には、製氷水タンク２内の水位を検出するためのフロートスイッチ８が設けられており、そのさらに上方には、円筒ドラム３の表面に成長した氷層を剥離するためのカッタ９が設けられている。
【００１２】
次に、この実施の形態に係るドラム式製氷機の動作について説明する。
ドラム式製氷機１が製氷動作を開始すると、円筒ドラム３は、ギヤモータによって回転駆動されると共に、蒸発器内を流通する冷媒によって冷却される。また、製氷水タンク２内の製氷水の一部がポンプモータ４の吸引口４ａから吸引されて散水パイプ６に送られ、散水パイプ６から円筒ドラム３上に散水される。
【００１３】
また、フロートスイッチ８により製氷水タンク２内の水位が所定値より下がったことが検出されると、給水バルブ７の吐出口７ａから冷却されていない製氷水が供給される。ここで、この冷却されていない製氷水は、図１において黒矢印で示される方向に流れる過程で円筒ドラム３内を流通する冷媒と熱交換することによって冷却されるため、ポンプモータ４の吸引口４ａ付近の製氷水の温度は常に低く保たれる。その結果、散水パイプ６から散水される製氷水の温度も常に低く保たれる。
【００１４】
このような状態において、散水パイプ６から散水された製氷水と製氷水タンク２内の製氷水は円筒ドラム３内を流通する冷媒と熱交換することによって冷却され、円筒ドラム３の表面には質と量が共に安定した層状の氷が成長する。そして、円筒ドラム３の回転に伴って水面上の製氷水が降り注がない位置に移動した氷層は、過冷却されて水分を含まない乾いた氷になり、カッタ９により剥離されて図示しない貯氷庫に蓄えられる。
【００１５】
以上説明したように、この実施の形態に係るドラム式製氷機１では、給水バルブ７の吐出口７ａは、円筒ドラム３の回転軸Ｏを挟んでポンプモータ４の吸引口４ａの反対側の領域に設けられている。これにより、散水パイプ６から散水される製氷水の温度は常に低く保たれ、安定した氷質と製氷量を得ることができる。
【００１６】
また、図３に示される従来技術に係るドラム式製氷機５０１では、ポンプモータ５０４の吸引口５０４ａから近い位置に散水パイプ５０６が設けられているため、散水パイプ５０６から散水された製氷水は、図３において白丸で示される方向に流れて吸引口５０４ａから吸引されてしまう。そのため、フロートスイッチ５０８の付近に冷水が滞留してしまい、フロートスイッチ５０８等の製氷水タンク５０２内の機能部品を氷結させてしまうおそれがある。これに対して、この実施の形態に係るドラム式製氷機１では、散水パイプ６は、円筒ドラム３の回転軸Ｏを挟んでポンプモータ４の吸引口４ａの反対側の領域に設けられている。すなわち、散水パイプ６はポンプモータ４の吸引口４ａから遠い位置に設けられている。そのため、散水パイプ６から散水された製氷水は、図１において白丸で示される方向に流れて製氷水タンク２内を循環する。これにより、製氷水タンク２内の特定箇所に冷水が滞留することがなく、フロートスイッチ８等の製氷水タンク２内の機能部品を氷結させてしまうことがない。
【００１７】
尚、実施の形態において、円筒ドラム３の回転軸Ｏを挟んで左側の領域にポンプモータ４の吸引口４ａを設け、回転軸Ｏを挟んで右側の領域に給水バルブ７の吐出口７ａ及び散水パイプ６を設けてもよい。
【００１８】
また、実施の形態に係るドラム式製氷機１において、散水パイプ６用の図２（ａ）〜（ｃ）に示すような第１〜第３の取り付け部材群を用いることによって、散水パイプ６の取り付け角度を調整してもよい。これにより、散水パイプ６から散水された製氷水が円筒ドラム３上に降り注ぐ面積を変えることができ、円筒ドラム３の表面に成長する氷層の質と量を調整することができる。図２（ａ）〜（ｃ）において、右側の図は、その左側の図を紙面裏側から見た図である。
【００１９】
（第１の取り付け部材群）
図２（ａ）に示される第１の取り付け部材群では、まず、製氷水タンク２の上蓋に設けられた保持部２ａの通孔に散水パイプ６を通すと共に、中心に通孔２１０ａを有する円盤状部材２１０を保持部２ａの下端に取り付ける。次に、略Ｔ字型部材２１１の通孔２１１ｂに散水パイプ６を通し、クリップ２１２により略Ｔ字型部材２１１に対して散水パイプ６が回転しないように固定する。最後に、円盤状部材２１０の通孔２１０ａと略Ｔ字型部材２１１の長孔２１１ａとにボルトを通し、ナットで締結する。このとき、長孔２１１ａ内におけるボルトの位置を調整することによって、散水パイプ６の取り付け角度を調整することができる。
【００２０】
（第２の取り付け部材群）
図２（ｂ）に示される第２の取り付け部材群では、まず、保持部２ａの通孔に散水パイプ６を通すと共に、複数の通孔３１０ａを有する略円弧状部材３１０を保持部２ａの下端に取り付ける。次に、矩形状部材３１１の通孔３１１ｂに散水パイプ６を通し、クリップ３１２により矩形状部材３１１に対して散水パイプ６が回転しないように固定する。最後に、略円弧状部材３１０の複数の通孔３１０ａのいずれか一つと矩形状部材３１１の通孔３１１ａとにボルトを通し、ナットで締結する。このとき、複数の通孔３１０ａのいずれにボルトを通すかを選択することによって、散水パイプ６の取り付け角度を調整することができる。
【００２１】
（第３の取り付け部材群）
図２（ｃ）に示される第３の取り付け部材群では、まず、保持部２ａの通孔に散水パイプ６を通すと共に、中心に通孔４１０ａを有する円盤状部材４１０を保持部２ａの下端に取り付ける。次に、略Ｔ字型部材４１１の通孔４１１ｂに散水パイプ６を通し、クリップ４１２により略Ｔ字型部材４１１に対して散水パイプ６が回転しないように固定する。最後に、円盤状部材４１０の通孔４１０ａと略Ｔ字型部材４１１の複数の通孔４１１ａのいずれか一つとにボルトを通し、ナットで締結する。このとき、複数の通孔４１１ａのいずれにボルトを通すかを選択することによって、散水パイプ６の取り付け角度を調整することができる。
【００２２】
第１〜第３の取り付け部材群について保持部２ａは製氷水タンク２の上蓋に設けられたものを示したが、製氷水タンク２の側板に散水パイプ６の保持部を設けるものでも良い。側板に保持部を設けることで散水パイプ６と円筒ドラム３の回転軸Ｏとの位置ズレが小さくなり円筒ドラム３の表面への散水効果が均一になる。
【符号の説明】
【００２３】
１  ドラム式製氷機、２  製氷水タンク（タンク）、３  円筒ドラム（ドラム）、４  ポンプモータ（製氷水吸引手段）、４ａ  ポンプモータの吸引口（製氷水吸引手段の吸引口）、６  散水パイプ（製氷水散水手段）、７  給水バルブ（製氷水供給手段）、７ａ  給水バルブの吐出口（製氷水供給手段の吐出口）、Ｏ  円筒ドラムの回転軸（ドラムの回転軸）。
【図１】
0005380257.tif 000002
【図２】
0005380257.tif 000003
【図３】
0005380257.tif 000004